(57)【要約】【課題】植物の生産効率の低下を回避しつつ、植物の品質等の向上を両立させることができる栽培装置を提供する。【解決手段】栽培ユニット３は、水平回転棚３０の回転によって、光量においてそれぞれ異なる環境を有する二つの栽培室を移動する。そのため栽培装置は、一日の日照変化に対応した光を植物に照射することができ、品質の高い植物又は特定の有用成分を多く含む植物を生産することができる。また隣接する栽培室間の壁面に設けた開口２ａを通過するだけで、一方の栽培室から、環境の異なる他方の栽培室に栽培ユニット３が容易且つ円滑に移動し、植物の生産性を維持することができる。【選択図】図２
2013179906.tif 000002
【特許請求の範囲】
【請求項１】
植物を栽培する栽培ユニットが配置され、壁に開口を有する複数の栽培室と、前記栽培ユニットの前記栽培室への搬入又は搬出を行う搬送機構とを備える栽培装置において、
前記栽培ユニットの通過を可能にして前記開口を封鎖する封鎖部を備えること
を特徴とする栽培装置。
【請求項２】
複数の前記栽培室は前記壁を介して隣合っており、
前記開口を介して複数の前記栽培室が連通していること
を特徴とする請求項１に記載の栽培装置。
【請求項３】
隣合う複数の前記栽培室は共通の前記壁を境界にして隣接していること
を特徴とする請求項２に記載の栽培装置。
【請求項４】
前記封鎖部は可撓性を有し、前記開口を被覆していること
を特徴とする請求項１から３のいずれか一つに記載の栽培装置。
【請求項５】
前記封鎖部はシート状、帯状又は紐状をなし、
前記開口の上縁部から垂下していること
を特徴とする請求項４に記載の栽培装置。
【請求項６】
少なくとも一つの前記栽培室に室内を照明する照明部、室内の気温を調整する調温部又は室内の湿度を調整する調湿部が設けてあること
を特徴とする請求項１から５のいずれか一つに記載の栽培装置。
【請求項７】
二つ以上の前記栽培室に前記照明部、調温部又は調湿部が設けてあり、
前記二つ以上の栽培室内の光量、気温又は湿度を個別に設定可能にしてあること
を特徴とする請求項６に記載の栽培装置。
【発明の詳細な説明】
【技術分野】
【０００１】
本発明は搬送機構によって、植物を栽培する栽培ユニットの栽培室への搬入又は搬出を行う栽培装置に関する。
【背景技術】
【０００２】
従来、促成栽培に適した植物を短期間内に大量に栽培する試みが数多くなされており、そこでは、植物が播種又は定植された栽培容器に対する給液、施肥、日長（所定時間に対する照明の照射時間の割合）管理等の作業を効率よく行うために、無端搬送装置等の移動装置によって栽培容器が栽培施設内を搬送される構成が採用されている（例えば特許文献１参照）。
【０００３】
一般に栽培施設内の環境は一定に保たれており、例えば光合成を効率的に行わせるべく、所定の光質に設定したＬＥＤ又は蛍光管を栽培施設内に設置し、又は空調装置、加湿器、二酸化炭素発生器等を設置して、植物の生長に適した一定の温度、湿度、ＣＯ2 濃度を維持している。このように一定の環境を保つことによって、植物の生産性を向上させることができる。
【先行技術文献】
【特許文献】
【０００４】
【特許文献１】特開２０１１−２００１６６号公報
【発明の概要】
【発明が解決しようとする課題】
【０００５】
近年、生産性の向上もさることながら、栽培される植物の品質向上、更には特定の有用成分を多く含むように植物を栽培することも求められている。植物の品質等を向上させるためには、植物を栽培する環境を緻密に管理する必要があり、例えば生育段階に応じて温度・湿度等を設定し、朝から夜に亘る日照時間の変化に併せて光量や光質を変更することが必要となる。
【０００６】
そのためには植物を栽培する密閉した栽培室を複数準備し、栽培室毎に異なる環境を造り出して、生育状況に応じて、植物を各栽培室に搬送することが考えられる。しかし密閉した栽培室間を植物が移動するためには、密閉状態を解除して植物を一の栽培室から搬出し、他の栽培室に搬入する必要があり、植物の移動に長時間を要し、生産効率が低下し、生産費用も嵩む。
【０００７】
本発明は斯かる事情に鑑みてなされたものであり、植物の生産効率の低下を回避しつつ、植物の品質等を向上させることができる栽培装置を提供することを目的とする。
【課題を解決するための手段】
【０００８】
本発明に係る栽培装置は、植物を栽培する栽培ユニットが配置され、壁に開口を有する複数の栽培室と、前記栽培ユニットの前記栽培室への搬入又は搬出を行う搬送機構とを備える栽培装置において、前記栽培ユニットの通過を可能にして前記開口を封鎖する封鎖部を備えることを特徴とする。
【０００９】
本発明においては、栽培ユニットは開口を介して、栽培植物へのダメージを最小限に抑えつつ、円滑に栽培室に搬入されるか又は栽培室から搬出され、封鎖部によって栽培室毎に異なる環境が造り出される。
【００１０】
本発明に係る栽培装置は、複数の前記栽培室は前記壁を介して隣合っており、前記開口を介して複数の前記栽培室が連通していることを特徴とする。
【００１１】
本発明においては、隣合う複数の栽培室の壁に開口を設けており、開口を通過するだけで、一方の栽培室から、環境の異なる他方の栽培室に栽培ユニットが容易且つ円滑に移動する。
【００１２】
本発明に係る栽培装置は、隣合う複数の前記栽培室は共通の前記壁を境界にして隣接していることを特徴とする。
【００１３】
本発明においては、開口を有する共通の壁を境界にしており、栽培室毎に壁を設けて開口を設ける場合に比べて、壁の数を削減して構成を簡素化することができ、栽培装置の製造効率が向上する。
【００１４】
本発明に係る栽培装置は、前記封鎖部は可撓性を有し、前記開口を被覆していることを特徴とする。
【００１５】
本発明においては、可撓性を有する封鎖部が開口を封鎖しているので、栽培ユニットを封鎖部に当接させるだけで封鎖部は撓み、栽培ユニットは開口を通過する。
【００１６】
本発明に係る栽培装置は、前記封鎖部はシート状、帯状又は紐状をなし、前記開口の上縁部から垂下していることを特徴とする。
【００１７】
本発明においては、開口の一縁部から垂下したシート状、帯状又は紐状に封鎖部を形成することによって、封鎖部による開口の閉鎖を確実に実現する。
【００１８】
本発明に係る栽培装置は、少なくとも一つの前記栽培室に室内を照明する照明部、室内の気温を調整する調温部又は室内の湿度を調整する調湿部が設けてあることを特徴とする。
【００１９】
本発明においては、照明部、調温部又は調湿部を設置した栽培室内の光量、光質、気温又は湿度を個別に設定し、栽培室毎に異なる環境下で植物を栽培する。例えば、一の栽培室に照明部、調温部又は調湿部を設置し、他の栽培室に照明部、調温部又は調湿部を設置しないことによって、昼及び夜の環境を再現したり、温暖及び寒冷な気候を再現したりする。
【００２０】
本発明に係る栽培装置は、二つ以上の前記栽培室に前記照明部、調温部又は調湿部が設けてあり、前記二つ以上の栽培室内の光量、気温又は湿度を個別に設定可能にしてあることを特徴とする。
【００２１】
本発明においては、照明部、調温部又は調湿部を制御して、各栽培室内の光量、気温又は湿度を個別に設定し、栽培室毎に異なる環境下で植物を栽培する。
【発明の効果】
【００２２】
本発明に係る栽培装置にあっては、栽培ユニットは開口を介して円滑に栽培室に搬入されるか又は栽培室から搬出され、且つ封鎖部によって栽培室毎に異なる環境が造り出されるので、短時間での栽培ユニットの搬送を実現し且つ栽培室毎に異なる環境を維持することができ、生産効率低下の回避及び植物の品質等の向上を両立させることができる。
【図面の簡単な説明】
【００２３】
【図１】実施の形態１に係る栽培装置を略示する平面図である。
【図２】隔壁付近を略示する斜視図である。
【図３】変形例の隔壁付近を略示する斜視図である。
【図４】実施の形態２に係る栽培装置を略示する平面図である。
【図５】隔壁付近を略示する斜視図である。
【図６】実施の形態３に係る栽培装置を正面右上から見た略示斜視図である。
【図７】後側に位置する棚集合体の略示正面図である。
【図８】栽培装置の略示平面図である。
【図９】栽培装置の略示側面図である。
【図１０】支持フレームを略示する斜視図である。
【図１１】栽培ユニット及び移載機を略示する斜視図である。
【図１２】実施の形態４に係る栽培装置の内部構造を略示する透過斜視図である。
【図１３】栽培装置の略示平面断面図である。
【発明を実施するための形態】
【００２４】
（実施の形態１）
以下本発明を実施の形態１に係る栽培装置を示す図面に基づいて詳述する。図１は栽培装置を略示する平面図、図２は隔壁付近を略示する斜視図である。
【００２５】
図１に示すように、栽培装置は、天井（不図示）及び外周壁１を備える。外周壁１は縦方向に長い平面視矩形状をなす。長手方向に直角な隔壁２が外周壁１内側の中央部分に設けてあり、該隔壁２は、外周壁１における二つの長手壁部分の間に配置してある。隔壁２によって、外周壁１及び天井によって囲まれた室内が二つに分割され、植物を栽培する二つの栽培室１１、１２が形成されている。
【００２６】
図２に示すように、隔壁２の中央部には貫通した二つの開口２ａ、２ａが長手方向に直角な方向に並設してある。開口２ａの上縁部から、開口２ａを封鎖しており、隔壁２に略平行なシート状の封鎖部２ｂが複数垂下している。封鎖部２ｂは開口２ａ全体を覆っている。封鎖部２ｂは遮光性及び可撓性を有し、例えばポリ塩化ビニル、ゴム又はエラストマー等からなる遮光性の高い黒色のシート又は反射シートである。封鎖部２ｂの上縁部のみが開口２ａの上縁部に固定してあり、封鎖部２ｂの下縁部は自由端である。上縁部を支点にして封鎖部２ｂは長手方向に容易に撓むことができる。なお封鎖部２ｂは単数であってもよい。
【００２７】
外周壁１の内側には水平回転棚３０（搬送機構）が設けてある。水平回転棚３０は、縦方向に長い長円形をなす円環型のレール３１と、該レール３１を支持する支持脚３２と、レール３１に載置された複数の棚板３３とを備える。図２に示すように、長円形をなすレール３１は、レール３１の各長辺部分が二つの開口２ａ、２ａを通過するように配置してある。図２の矢印にて示すように、レール３１は駆動源（不図示）の駆動によって回転し、レール３１に載置された棚板３３は、隔壁２を介して隣接する二つの栽培室１１、１２の間を移動する。なお水平回転棚３０は上下に並設された複数のレール３１を備える多段式であってもよい。
【００２８】
棚板３３には植物を栽培する栽培ユニット３が載置してある。栽培ユニット３は合成樹脂を矩形の浅皿状に成形してなる栽培トレイ３ａを備える。栽培トレイ３ａには、発泡スチロール等からなる一又は複数の培地３ｂが載置される。各培地３ｂは複数（図では九つ）の嵌凹部３ｃを有し、該嵌凹部３ｃに植物、例えばリーフレタスの苗が定植される。
【００２９】
レール３１の回転によって、棚板３３に載置された栽培ユニット３は隔壁２を介して隣接する二つの栽培室１１、１２の間を移動する。栽培ユニット３が開口２ａを通過する場合、栽培ユニット３は封鎖部２ｂを押圧する。押圧された封鎖部２ｂは栽培ユニット３の進行方向に撓み、栽培ユニット３は封鎖部２ｂの下側を通過し、隣の栽培室に移動する。なお封鎖部２ｂは、培地３ｂに定植された植物に損傷を与えることのないように柔軟に構成されている。
【００３０】
図１に示すように、一方の栽培室１２には、水平回転棚３０の周囲に照明装置４（例えば発光ダイオード又は蛍光管）が設置してある。隔壁２付近に配置された照明装置４は、栽培ユニット３に対し、斜め方向から照明しており、レール３１の回転の折り返し地点付近（隔壁２から離隔した箇所）に配置された照明装置４は、栽培ユニット３に対し、正対するように照明している。そのため栽培ユニット３に定植してる植物に、朝から夕方にかけての日照変化に対応させた照明を行うことができる。他方の栽培室１１には照明装置４を設置しておらず、他方の栽培室１１は暗く、夜に対応した環境が設定してある。開口２ａには遮光性を有する封鎖部２ｂを設けてあるので、多量の光が一方の栽培室１２から他方の栽培室１１に漏出することはない。僅かに光が漏出することはあるが、漏出した光によって、夜明け直後又は日没直後の日照に近い状態を再現することができる。
【００３１】
栽培ユニット３は、水平回転棚３０の回転によって、光量においてそれぞれ異なる環境を有する二つの栽培室１１、１２を移動する。そのため栽培装置は、一日の日照変化に対応した光を植物に照射することができ、品質の高い植物又は特定の有用成分を多く含む植物を生産することができる。また隣接する栽培室１１、１２間の壁面に設けた開口２ａを通過するだけで、一方の栽培室から、環境の異なる他方の栽培室に栽培ユニット３が容易且つ円滑に移動し、植物の生産性を維持することができ、品質向上及び生産性の維持を両立させることができる。
【００３２】
また封鎖部２ｂは可撓性を有しているので、栽培ユニット３を封鎖部２ｂに当接させるだけで封鎖部２ｂは撓み、栽培ユニット３は開口２ａを通過することができる。またシート状をなす封鎖部２ｂの上端部のみが開口２ａの上縁部に固定してあり、開口２ａの閉鎖及び栽培ユニット３の通過を両立させることができる。
【００３３】
図３は変形例の隔壁２付近を略示する斜視図である。図３に示すように、開口２ａの上縁部から、帯状又は紐状の複数の封鎖部２ｂが垂下しており、開口２ａ全体を覆っている。封鎖部２ｂは可撓性を有する。封鎖部２ｂの上端部のみが開口２ａの上端部に固定してあり、封鎖部２ｂの下縁部は自由端である。上縁部を支点にして封鎖部２ｂは長手方向に容易に撓むことができる。変形例においても、栽培ユニット３を封鎖部２ｂに当接させるだけで封鎖部２ｂは撓み、栽培ユニット３は開口２ａを通過することができる。
【００３４】
なお封鎖部２ｂとしては、ローラにシートを巻き付けてなる巻き取り式のシートを封鎖部として使用し、上方から下方にシートを垂下させてもよい。この場合、ローラを回転させることで、シートの垂下した長さを調整することができる。例えば、栽培ユニット３が開口２ａを通過する場合に、植物の成長具合に応じてシートの長さを調整してもよい。また栽培ユニット３の移動時にシートの長さを短くする等、タイミングに応じてシートの長さを調整してもよい。また封鎖部には安定化のために錘を取り付けてもよい。例えば紐状の封鎖部に球状の錘を取り付けて、いわゆる玉すだれのようにしてもよい。また開口２ａの上縁部に風の吹出口を設けて、いわゆるエアカーテンとして使用し、これを封鎖部としてもよい。また開口２ａを、所定の方向（例えば上下方向又は左右方向）にスライド可能な遮蔽板にて封鎖し、これを封鎖部としてもよい。例えばねじ、ワイヤー、チェーン、ベルト又はモータ等からなる伝動機構によって遮蔽板をスライドさせる構成とし、開口２ａへの物体の接近・通過を検知するセンサを設ける。前記センサによって栽培ユニット３の開口２ａへの接近が検知された場合、遮蔽板を開口２ａから離れる方向にスライドさせて開口２ａを開き、前記センサによって栽培ユニット３の開口２ａの通過が検知された場合、遮蔽板を開口２ａに接近する方向にスライドさせて開口２ａを封鎖する。
【００３５】
本実施例においては開口２ａを有する共通の隔壁２を境界にして栽培室１１、１２が隣接しているが、栽培室１１、１２毎に個別に壁を設けて、隣合う栽培室１１、１２の壁にそれぞれ開口２ａを設けてもよい。この場合においても水平回転棚３０を、全ての開口２ａを通過するように各栽培室１１、１２内に設置することで、栽培ユニット３は円滑に栽培室１１、１２間を移動することができる。
【００３６】
なお水を供給するスプリンクラー及び養分を供給する養分供給装置（いずれも不図示）等、植物の栽培に必要な装置又は植物の生長を促す装置が栽培装置内に適宜設けてあることは言うまでもない。また図示を省略しているが、栽培する苗を搬入するか又は成長した植物を搬出するためのドア等が外周壁１に設けられている。
【００３７】
なお一日の環境変化は、異なる環境の一例であって、これに限定されるものではない。例えば数日間又は数週間の期間を空けて、両栽培室１１、１２間において植物を移動させてもよく、異なる環境を再現した複数の栽培室１１、１２間の移動は適宜の時間又は日数間隔で実行されればよい。
【００３８】
（実施の形態２）
以下本発明を実施の形態２に係る図面に基づいて詳述する。図４は栽培装置を略示する平面図、図５は隔壁付近を略示する斜視図である。図４に示すように、栽培装置内に、長手方向に直角な方向に平行な三つの隔壁２０、２１、２２が長手方向に沿って並設してある。また長円形をなす円環形の水平回転棚３０の中央に、長手方向に平行な隔壁２３が設けてある。この長手方向に平行な隔壁２３の両端部及び中央部に、長手方向に直角な方向に平行な三つの隔壁２０、２１、２２は一体的に交差しており、各隔壁２０、２１、２２、２３、外周壁１及び天井（不図示）によって、複数の（図では六つ）の栽培室４１〜４６が形成されている。
【００３９】
図５に示すように、長手方向に直角な方向に平行な三つの隔壁２０、２１、２２には、それぞれ二つずつ開口２ａ、２ａが設けてある。二つの開口２ａ、２ａは、長手方向に平行な隔壁２３の両側にそれぞれ一つずつ設けてある。水平回転棚３０は、各開口２ａを通過するように、栽培室４１〜４６内に配置してある。
【００４０】
図４に示すように、長手方向中央部に位置する隔壁２０を境界にして、半分の（三つの）栽培室４３〜４５にはそれぞれ照明装置４が設けてある。前記隔壁２０に近い二つの栽培室４３、４５に設けた照明装置４の光量は、前記隔壁２０から離れた長手方向端部に位置する栽培室４４に設けた照明装置４の光量よりも少ない。これにより、栽培ユニット３に定植してる植物に、朝から夕方にかけての日照変化に対応させた照明を行うことができる。他方の栽培室４１、４２、４６には照明装置４を設置しておらず、他方の栽培室４１、４２、４６は暗く、夜に対応した環境が設定してある。
【００４１】
また各栽培室４１〜４６に、室内の気温を調整する調温吹出口５及び室内の湿度を調整する調湿吹出口６を設けてある。調温吹出口５は図示しない配管を介してヒートポンプに連結してある。また調温吹出口５の周囲に冷却装置（不図示）が設けてあり、調温吹出口５から吹き出される風の温度を調整するようにしてある。各冷却装置の動作を制御することによって、各栽培室４１〜４６における調温吹出口５の吹出し温度を個別に調整するようにしてある。また調湿吹出口６から吹き出される水分量も栽培室４１〜４６毎に個別に調整することができるようにしてある。なお調温吹出口５及び調湿吹出口６に代えて、空調装置及び加湿器を各栽培室４１〜４６に設けて、調温及び調湿を行ってもよい。
【００４２】
栽培装置は、植物の成長にとって最適な環境を各栽培室４１〜４６に個別に設定することができる。例えば、朝方及び夕方の環境を設定する栽培室４３、４５においては、照明装置４の光量を小さく設定し、また気温、湿度を低く設定する。一方、朝方及び夕方の環境を設定した栽培室４３、４５の一側に隣接する栽培室４４において昼の環境を設定する。例えば照明装置４の光量を大きく設定し、気温、湿度を高く設定する。また朝方及び夕方の環境を設定した栽培室４３、４５の他側に隣接する三つの栽培室４１、４２、４６において夜の環境を設定する。例えば照明装置４を設置することなく、気温、湿度を低く設定する。更に長手方向端部に位置する栽培室４６における気温を他の二つの栽培室４１、４２よりも低くして、真夜中の環境を再現する。
【００４３】
これにより、栽培装置は、一日の環境変化を一つの栽培装置内に再現し、植物の成長にとって最適な環境を造り出すことができるため、品質の高い植物又は特定の有用成分を多く含む植物を生産することができる。
【００４４】
なお一日の環境変化は、異なる環境の一例であって、これに限定されるものではない。例えば温暖な気候を再現した栽培室と、寒冷な気候を再現した栽培室とを準備し、数週間の期間を空けて、両栽培室間において植物を移動させてもよく、異なる環境を再現した複数の栽培室間の移動は適宜の時間又は日数間隔で実行されればよい。
【００４５】
実施の形態２に係る構成の内、実施の形態１と同様な構成については同じ符号を付し、その詳細な説明を省略する。
【００４６】
（実施の形態３）
以下本発明を実施の形態３に係る栽培装置を示す図面に基づいて詳述する。図６は栽培装置を正面右上から見た略示斜視図、図７は後側に位置する棚集合体の略示正面図、図８は栽培装置の略示平面図、図９は栽培装置の略示側面図である。なお図６において後述する封鎖部の記載を省略している。
【００４７】
図中１００は、複数の栽培ユニット３を収納する収納棚であり、収納棚１００は、縦方向に１５段及び横方向に６列の棚を有する棚集合体１０、１０同士を、列方向（ここでは横方向）と交差する方向に並設して夫々の上部にて連結したものである。後側（背面側）に位置する棚集合体１０の右側方には、縦方向に１２段の棚を有するストック棚７が、空きの栽培ユニット３をストック（以下、収納ともいう）すべく連結されている。前側（正面側）に位置する棚集合体１０の右側方には、ストック棚７の最下段と対向する位置に、作業者が植物の栽培に必要な作業を行うための作業ステーション８が並設されている。
【００４８】
図６及び図９に示すように、棚集合体１０、１０は互いに対向する部分に開口１０ａを備えており、この開口１０ａを除いて、二列毎に５段を一単位としてその周囲を外壁１０ｂに覆われている（以降、外壁１０ｂに覆われた一単位によって形成される室を栽培室１１０という）。図７及び図９に示すように、棚集合体１０、１０の各開口１０ａからシート状の封鎖部１０ｃが複数垂下している。封鎖部１０ｃは縦方向及び横方向に平行であり、横方向に並設されている。封鎖部１０ｃは遮光性及び可撓性を有し、開口１０ａ全体を覆っている。封鎖部１０ｃの上縁部のみが開口１０ａの上縁部に固定してあり、封鎖部１０ｃの下縁部は自由端である。上縁部を支点にして封鎖部１０ｃは正背面方向に容易に撓むことができる。
【００４９】
各栽培室１１０には、栽培室１１０内の照明を行う照明装置２４、栽培室１１０内の気温を調整する調温装置２５及び栽培室１１０内の湿度を調整する調湿装置２６が設けてある。照明装置２４、調温装置２５及び調湿装置２６によって、栽培室１１０毎に光量、気温及び湿度を個別に制御することができ、それぞれ異なる環境を設定することができる。
【００５０】
棚集合体１０、１０の間には、収納棚１００及びストック棚７の任意の収納位置にある棚（以下、単に棚ともいう）並びに作業ステーション８相互間で栽培ユニット３を搬送する搬送機構９が配されている。図７に示すように、搬送機構９は、直立する４本の昇降ガイド９１と該４本の昇降ガイド９１に沿って上下に移動可能に構成された移載機９２とを有しており、棚集合体１０、１０間の地上に敷設されたレール９０に案内されてその全体が収納棚１００の列方向（以下、単に列方向という）に移動するスタッカークレーンである。移載機９２は、自身と任意の棚又は作業ステーション８との間で、栽培ユニット３を双方向に載せ替えする。移載機９２を含む昇降ガイド９１の列方向への移動と、移載機９２の上下方向への移動とは、図示しないモータの駆動力によって走行するチェーンを用いて各別に行われる。
【００５１】
次に、栽培ユニット３及び移載機９２について説明する。
図１０は支持フレーム５１を略示する斜視図であり、図１１は栽培ユニット３及び移載機９２を略示する斜視図である。
【００５２】
図１０に示す支持フレーム５１は、亜鉛メッキ鋼板を矩形の浅皿状に成形してなり、底部には、略正方形の打ち抜き穴５１１が長手方向に２つ開設されている。各打ち抜き穴５１１の周囲には、周縁部を上向きに折り曲げてなる４つのリブ５１２が立設されている。支持フレーム５１の長辺に沿う方向に設けられた４つのリブ５１２には、支持フレーム５１の各短辺に近い側に切り欠きが形成してあり、養液が前記切り欠きから打ち抜き穴５１１を介して下方に流れ落ちるようになっている。支持フレーム５１の各短辺の外側には、横長の金属板の長手方向に沿う両端部を互いに反対方向に折り曲げてなる下向きのフック５１３が、例えば溶接によって固着されている。
【００５３】
栽培ユニット３は支持フレーム５１に搭載され、収納棚１００及びストック棚７夫々に対し、長手方向を前後方向に向けて収納及びストックされる。
一方、移載機９２は、図示しないモータの駆動力で循環走行する並行２条（１条は図示せず）のチェーン９２１と、該チェーン９２１間に掛け渡された直棒状のアタッチメント９２２とを備える。
【００５４】
栽培ユニット３を任意の棚又は作業ステーション８から移載機９２に載せ替える場合、アタッチメント９２２が、チェーン９２１の走行に応じて栽培ユニット３の長手方向に平行移動し、図１１に示す位置でフック５１３に下側から係合する。その後、チェーン９２１の走行に伴って栽培ユニット３全体が引き寄せられることにより、栽培ユニット３が棚又は作業ステーション８から移載機９２に載せ替えられる。
【００５５】
これとは逆に、栽培ユニット３を移載機９２から任意の棚又は作業ステーション８に載せ替える場合、載せ替え先の方向（例えば図８、９で移載機９２から見て棚がある方向）に応じて移載機９２のモータの回転方向が決定され、チェーン９２１の走行に伴って栽培ユニット３全体が移載機９２から任意の棚又は作業ステーション８側に押し出される。その後、フック５１３からアタッチメント９２２が下方に離脱して係合が解除された時に載せ替えが完了する。このように、移載機９２に対して栽培ユニット３が引き寄せられ、又は押し出される方向と、その範囲とを、図１１において白抜き矢印にて示す。
【００５６】
栽培ユニット３を載せ替える場合、栽培ユニット３は封鎖部１０ｃを押圧し、押圧された封鎖部１０ｃは栽培ユニット３の進行方向に撓み、栽培ユニット３は封鎖部１０ｃの下側を通過し、移動する。そのため栽培ユニット３における一の栽培室１１０から、異なる環境の他の栽培室１１０への移動は容易且つ円滑に実行され、植物の生産性を維持することができ、品質向上及び生産性の維持を両立させることができる。
【００５７】
実施の形態３に係る構成の内、実施の形態１又は２と同様な構成については同じ符号を付し、その詳細な説明を省略する。
【００５８】
（実施の形態４）
以下本発明を実施の形態４に係る栽培装置を示す図面に基づいて詳述する。図１２は栽培装置の内部構造を略示する透過斜視図、図１３は栽培装置の略示平面断面図である。
【００５９】
栽培装置は円筒形の外周壁８０と、該外周壁８０の上部を覆う天井部８１と、外周壁８０の下部を覆う底部８２とを備える。外周壁８０の一部はスライド式のドア８０ａと、該ドア８０ａを収容する収容室８０ｃとを備える。ドア８０ａの外周面には取手８０ｂが設けてある。ドア８０ａを収容室８０ｃ側に摺動させた場合、ドア８０ａは開き、収容室８０ｃと反対側に摺動させた場合、ドア８０ａは閉じる。
【００６０】
外周壁８０の内側には、栽培ユニット（不図示）を載置する複数の載置板８４が軸方向に沿って並設してある。
外周壁８０の内側には、円筒形をなす外周壁８０と同軸的に、軸回りに回転する回転軸８３が載置板８４を貫通して設けてあり、回転軸８３の両端部は天井部８１及び底部８２に回転可能に取り付けてある。図１３に示すように、載置板８４同士の間、載置板８４及び天井部８１の間、並びに載置板８４及び底部８２の間において、回転軸８３から径方向外向きに三つの隔壁８５、８５、８５が延出している。三つの隔壁８５、８５、８５は、略１２０度ずつ位相がずれるように、回転軸８３周りに等配してある。
【００６１】
隔壁８５の延出端部には緩衝部材８７が設けてあり、該緩衝部材８７は外周壁８０に接触している。栽培装置は、隔壁８５間において、植物を栽培する栽培ユニットを載置板８４に載置し、植物を栽培するようにしてある。すなわち外周壁８０、隔壁８５、載置板８４、天井部８１及び底部８２によって、栽培ユニットが配置される栽培室１８０が形成されている。
【００６２】
各隔壁８５には貫通した開口８５ａが設けてあり、該開口８５ａの下側は開放している。開口８５ａの上縁部から、開口８５ａを封鎖しており、隔壁８５に略平行なシート状の封鎖部８５ｂが複数垂下している。封鎖部８５ｂは、隔壁８５の延出方向に沿って並設されており、開口８５ａ全体を覆っている。封鎖部８５ｂは遮光性及び可撓性を有する。封鎖部８５ｂの上縁部のみが開口８５ａの上縁部に固定してあり、封鎖部８５ｂの下縁部は自由端である。上縁部を支点にして封鎖部８５ｂは隔壁８５に直角な方向に容易に撓むことができる。
【００６３】
栽培室１８０毎に、開口８５ａの上側には照明装置８６が設けてあり、各照明装置８６から照射される光の光量は個別に設定される。例えば同一の載置板８４上に形成された三つの栽培室１８０毎に異なる光量を設定し、朝、昼及び夜の日照状況を再現することができる。
【００６４】
回転軸８３にはモータ等の駆動源（不図示）から回転力が伝達されるようにしてあり、回転力が伝達された場合、図１３の矢印にて示す如く、一方向に回転する。載置板８４に載置された栽培ユニットは、栽培ユニットは封鎖部８５ｂを押圧する。押圧された封鎖部８５ｂは栽培ユニットの進行方向に撓み、栽培ユニットは封鎖部８５ｂの下側を通過し、光量の異なる栽培室１８０に移動する。そのため栽培ユニットにおける一の栽培室１８０から、異なる環境の他の栽培室１８０への移動は容易且つ円滑に実行され、植物の生産性を維持することができ、品質向上及び生産性の維持を両立させることができる。
【００６５】
なお各栽培室１８０に調温装置又は調湿装置を設けてもよい。本実施例では載置板８４が固定され、隔壁８５が軸回りに回転し、栽培室１８０間にて栽培ユニットが搬送される構成であるが、これとは逆に、隔壁８５が固定され、載置板８４が軸回りに回転して栽培ユニットが搬送される構成であってもよい。なお栽培ユニットは開口８５ａを通過することができるような形状に設計されており、例えば外周壁８０に沿った湾曲した形状に設計されている。
【００６６】
実施の形態４に係る構成の内、実施の形態１〜３と同様な構成については同じ符号を付し、その詳細な説明を省略する。
【００６７】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００６８】
２、２０〜２３、８５  隔壁（壁）
２ａ、１０ａ、８５ａ  開口
２ｂ、１０ｃ、８５ｂ  封鎖部
３  栽培ユニット
４、２４  照明装置（照明部）
５  調温吹出口（調温部）
６  調湿吹出口（調湿部）
９  搬送機構
２５  調温装置（調温部）
２６  調湿装置（調湿部）
３０  水平回転棚（搬送機構）
１１、１２、４１〜４６、１１０、１８０  栽培室
【図１】
2013179906.tif 000003
【図２】
2013179906.tif 000004
【図３】
2013179906.tif 000005
【図４】
2013179906.tif 000006
【図５】
2013179906.tif 000007
【図６】
2013179906.tif 000008
【図７】
2013179906.tif 000009
【図８】
2013179906.tif 000010
【図９】
2013179906.tif 000011
【図１０】
2013179906.tif 000012
【図１１】
2013179906.tif 000013
【図１２】
2013179906.tif 000014
【図１３】
2013179906.tif 000015
【手続補正書】
【提出日】平成25年6月14日(2013.6.14)
【手続補正１】
【補正対象書類名】明細書
【補正対象項目名】０００８
【補正方法】変更
【補正の内容】
【０００８】
本発明に係る栽培装置は、植物を栽培する栽培ユニットが配置され、壁に開口を有する複数の栽培室と、前記栽培ユニットの前記栽培室への搬入又は搬出を行う搬送機構とを備える栽培装置において、前記栽培ユニットの通過を可能にして前記開口を封鎖する封鎖部を備え、前記複数の栽培室は前記壁を介して隣合っており、前記開口を介して前記複数の栽培室が連通し、前記複数の栽培室に、室内を照明する照明部、室温を調整する調温部及び室内の湿度を調整する調湿部が設けてあり、前記複数の栽培室内の光量、室温及び湿度を栽培室毎に個別に設定可能にしてあり、一日の環境変化を再現すべく、前記複数の栽培室内に設けた前記照明部、調温部及び調湿部によって、光量、室温及び湿度を調整し、前記搬送機構によって前記栽培ユニットを前記複数の栽培室を移動させるようにしてあることを特徴とする。
【手続補正２】
【補正対象書類名】明細書
【補正対象項目名】０００９
【補正方法】変更
【補正の内容】
【０００９】
本発明においては、栽培ユニットは開口を介して、栽培植物へのダメージを最小限に抑えつつ、円滑に栽培室に搬入されるか又は栽培室から搬出され、封鎖部によって栽培室毎に異なる環境が造り出される。
また照明部、調温部又は調湿部を設置した栽培室内の光量、光質、温度又は湿度を個別に設定し、栽培室毎に異なる環境下で植物を栽培する。例えば、一の栽培室に照明部、調温部又は調湿部を設置し、他の栽培室に照明部、調温部又は調湿部を設置しないことによって、昼及び夜の環境を再現したり、温暖及び寒冷な気候を再現したりする。
また照明部、調温部又は調湿部を制御して、各栽培室内の光量、温度又は湿度を個別に設定し、栽培室毎に異なる環境下で植物を栽培する。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
植物を栽培する栽培ユニットが配置され、壁に開口を有する複数の栽培室と、前記栽培ユニットの前記栽培室への搬入又は搬出を行う搬送機構とを備える栽培装置において、
前記栽培ユニットの通過を可能にして前記開口を封鎖する封鎖部を備え、
前記複数の栽培室は前記壁を介して隣合っており、
前記開口を介して前記複数の栽培室が連通し、
前記複数の栽培室に、室内を照明する照明部、室温を調整する調温部及び室内の湿度を調整する調湿部が設けてあり、
前記複数の栽培室内の光量、室温及び湿度を栽培室毎に個別に設定可能にしてあり、
一日の環境変化を再現すべく、前記複数の栽培室内に設けた前記照明部、調温部及び調湿部によって、光量、室温及び湿度を調整し、前記搬送機構によって前記栽培ユニットを前記複数の栽培室を移動させるようにしてあること
を特徴とする栽培装置。
【請求項２】
隣合う複数の前記栽培室は共通の前記壁を境界にして隣接していること
を特徴とする請求項１に記載の栽培装置。
【請求項３】
前記封鎖部は可撓性を有し、前記開口を被覆していること
を特徴とする請求項１又は２に記載の栽培装置。
【請求項４】
前記封鎖部はシート状、帯状又は紐状をなし、
前記開口の上縁部から垂下していること
を特徴とする請求項３に記載の栽培装置。